(57)【要約】【課題】組み付け作業に治具を必要とせず、組み付け作業が容易で生産性の高いコネクタを提供することである。【解決手段】第１，第２接続端子２０，３０を所定のピッチで装着したベース１０に操作レバー４０を回動可能に支持するとともに、前記操作レバー４０でフレキシブルプリント基板の先端部を前記第１，第２接続端子２０，３０の第１，第２固定接点２３，３１に押圧して接続するコネクタである。特に、ベース１０の両側端部に設けた仕切り壁１１の上端面に連続的に形成した第１スライド面１１ｂ、テーパ面１１ｃおよび第２スライド面１１ｄに沿って、操作レバー４０の対向する両側端部に設けた組付用突起４３を移動させる一方、前記操作レバー４０の残る片側縁部に同一軸心上に不連続に設けた回動軸部４１で前記接続端子２０の弾性指部２４を押し上げるとともに、前記回動軸部４１を前記弾性指部２４に形成した軸受用凹部２５に回動可能に嵌合した。【選択図】図２
2008084760.tif 000002
【特許請求の範囲】
【請求項１】
接続端子を所定のピッチで装着したベースに操作レバーを回動可能に支持するとともに、前記操作レバーでフレキシブルプリント基板の先端部を前記接続端子の固定接点に押圧して接続するコネクタにおいて、
ベースの両側端部に設けた仕切り壁の上端面に連続的に形成した第１スライド面、テーパ面および第２スライド面に沿って、操作レバーの対向する両側端部に設けた組付用突起を移動させる一方、前記操作レバーの残る片側縁部に同一軸心上に不連続に設けた回動軸部で前記接続端子の弾性指部を押し上げるとともに、前記回動軸部を前記弾性指部に形成した軸受用凹部に回動可能に嵌合したことを特徴とするコネクタ。
【請求項２】
仕切り壁の外側面から延在した弾性腕部の内側面に押圧用突起を突設し、操作レバーの両側端部から延在した受圧用舌片を、前記押圧用突起に乗り上げさせ、かつ、前記仕切り壁の外側面に圧接させて保持することを特徴とする請求項１に記載のコネクタ。
【請求項３】
操作レバーの両側端部に突設した嵌合用突部を、弾性腕部の上端部に形成した嵌合用凹部に嵌合したことを特徴とする請求項１または２に記載のコネクタ。
【発明の詳細な説明】
【技術分野】
【０００１】
本発明はコネクタ、特に、プリント基板に表面実装するとともに、フレキシブルプリント基板（以下、「ＦＰＣ」という）をフロントロック形式で接続するコネクタに関する。
【背景技術】
【０００２】
従来、コネクタとしては、例えば、特許文献１に示すように、コネクタ本体１０に押圧カバー３０を回動可能に支持し、前記押圧カバー３０を引き倒すことにより、前記コネクタの端子２０にフレキシブル回路１を接続するものがある。
【特許文献１】特開２００５−５６７６５号公報
【発明の開示】
【発明が解決しようとする課題】
【０００３】
しかしながら、前述のコネクタでは、実際上、コネクタ本体１０に押圧カバー３０を組み付ける場合に治具を必要とし、組み付け作業に手間がかかり、生産性が低いという問題点がある。
【０００４】
本発明は、前記問題点に鑑み、組み付け作業に治具を必要とせず、組み付け作業が容易で生産性の高いコネクタを提供することを課題とする。
【課題を解決するための手段】
【０００５】
本発明にかかるコネクタは、前記課題を解決すべく、接続端子を所定のピッチで装着したベースに操作レバーを回動可能に支持するとともに、前記操作レバーでフレキシブルプリント基板の先端部を前記接続端子の固定接点に押圧して接続するコネクタにおいて、
ベースの両側端部に設けた仕切り壁の上端面に連続的に形成した第１スライド面、テーパ面および第２スライド面に沿って、操作レバーの対向する両側端部に設けた組付用突起を移動させる一方、前記操作レバーの残る片側縁部に同一軸心上に不連続に設けた回動軸部で前記接続端子の弾性指部を押し上げるとともに、前記回動軸部を前記弾性指部に形成した軸受用凹部に回動可能に嵌合した構成としてある。
【発明の効果】
【０００６】
本発明によれば、組付用治具を使用せずとも、ベースの仕切り壁の上端部に設けた第１スライド面、テーパ面および第２スライド面に沿って操作レバーの組付用突起をスライドさせることにより、接続端子の軸受用凹部に前記操作レバーの回動軸部を回動可能に組み付けることができる。このため、組み付け作業が容易となり、生産性の高いコネクタが得られる。
【０００７】
本発明にかかる実施形態としては、仕切り壁の外側面から延在した弾性腕部の内側面に押圧用突起を突設し、操作レバーの両側端部から延在した受圧用舌片を、前記押圧用突起に乗り上げさせ、かつ、前記仕切り壁の外側面に圧接させて保持する構成としてもよい。
本実施形態によれば、操作レバーが自然に回動することを規制できる。このため、操作レバーが振動等で自然に回動して倒れ、ベースから脱落したり、ＦＰＣの接続作業を妨げるということがない。また、前記操作レバーが自然に倒れることを防止できるので、ＦＰＣを装着する際に操作レバーを片手で保持しておく必要がなく、作業者は両手を有効に活用してＦＰＣを接続でき、生産性が向上する。
【０００８】
本発明にかかる他の実施形態としては、操作レバーの両側端部に突設した嵌合用突部を、弾性腕部の上端部に形成した嵌合用凹部に嵌合してもよい。
本実施形態によれば、操作レバーが自然に回動することを規制できる。このため、操作レバーが振動等で自然に回動して倒れ、ベースから脱落したり、ＦＰＣの接続作業を妨げるということがない。また、前記操作レバーが自然に倒れることを防止できるので、ＦＰＣを装着する際に操作レバーを片手で保持しておく必要がなく、作業者は両手を有効に活用してＦＰＣを接続でき、生産性が向上するという効果がある。
【発明を実施するための最良の形態】
【０００９】
本発明にかかる実施形態を図１ないし図１４の添付図面に従って説明する。
本実施形態にかかるコネクタは、図１および図２に示すように、ベース１０と、第１接続端子２０と、第２接続端子３０と、操作レバー４０とから構成されている。
【００１０】
なお、本実施形態にかかる実施品のコネクタは、高さ０．９ｍｍ、奥行３．５ｍｍ、隣り合う接続端子ピッチ０．３ｍｍである。
【００１１】
前記ベース１０は、図３および図４に示すように、両側端部に対向するように突設した仕切り壁１１，１１の間に、第１，第２ガイド溝１２，１３を所定のピッチで交互に並設してある。前記仕切り壁１１の先端縁部は、後述するフレキシブル基板５０の挿入を容易にするため、外方に若干、開いた形状を有している。さらに、前記仕切り壁１１は、その上端面に抜け止めするための第１テーパ面１１ａを有するとともに、後述する操作レバー４０の組み付け作業を容易にするため、第１スライド面１１ｂ、第２テーパ面１１ｃ、および第２スライド面１１ｄを連続的に形成してある。一方、前記第１，第２ガイド溝１２，１３は、後述する第１，第２接続端子２０，３０を圧入するための第１，第２端子孔１４，１５にそれぞれ連通している。また、前記仕切り壁１１の外側面縁部から弾性腕部１６が平行にそれぞれ延在している。前記弾性腕部１６は、その内向面の先端縁部に押圧用突起１６ａを突設してあるとともに、その上端面の基部に嵌合用凹部１６ｂを形成してある。
【００１２】
第１接続端子２０は、図５Ａに示すように、第１ガイド溝１２に挿入可能な厚さ寸法を有する導電材からなるものであり、その一端部に係止爪部２１を備えた接続部２２を形成してある。また、第１接続端子２０は、その中央部に弾性変位可能な第１固定接点２３を切り出してあるとともに、その他端部近傍から略Ｌ字形の弾性指部２４を延在してある。前記弾性指部２４の下面先端部に軸受用凹部２５を形成してある。
【００１３】
第２接続端子３０は、図５Ｂに示すように、第１接続端子２０と同様、第２ガイド溝１３に挿入可能な厚さ寸法を有する導電材からなるものであり、その一端部に弾性変位可能な第２固定接点３１を突設してある。また、第２接続端子３０は、その他端部に位置決め段部３２を備えた接続部３４を形成してあるとともに、前記接続部３３の近傍から略Ｌ字形の圧入用弾性指部３４を延在してある。
【００１４】
操作レバー４０は、図６および図７に示すように、片側縁部に不連続な回軸部４１を同一軸心上に形成してある。また、前記操作レバー４０は、その両側端部から延在した受圧用舌片４２との間に組付用突起４３および抜け止め用テーパ面４４を形成してある。また、前記受圧用舌片４２の外側面には嵌合用突部４５を形成してある。
【００１５】
なお、本実施形態に接続されるＦＰＣ５０（図１４）は、その先端部５１の下面に接続用パッド（図示せず）を所定のピッチで並設してある。
【００１６】
次に、前述の構成部品の組み付け方法について説明する。
まず、前記ベース１０の第１ガイド溝１２に沿って第１接続端子２０をスライドさせて第１端子孔１４に挿入すると、係止爪部２１がベース１０の縁部に係止して位置決めされる。ついで、前記ベース１０の第２端子孔１５に第２接続端子３０を挿入することにより、突出する第２固定接点３１が第２ガイド溝１３に沿ってスライド移動し、位置決め段部３２がベース１０に当接して位置決めされる。この結果、第１接続端子２０の第１固定接点２３と第２接続端子３０の第２固定接点３１とは挿入方向において前後に位置し、千鳥状となる。
【００１７】
そして、ベース１０に操作レバーを４０組み付ける場合には、まず、図８および図９に示すように、操作レバー４０を鉛直に起立させた状態で、その組付用突部４３を仕切り壁１１の第１スライド面１１ｂ上に位置決めする。さらに、図１０に示すように、組付用突部４３を第１スライド面１１ｂに沿ってテーパ面１１ｃまでスライド移動させることにより、回動軸部４１が第１接続端子２０の弾性指部２４を押し上げる。ついで、図１１に示すように、組付用突部４３を仕切り壁１１のテーパ面１１ｃに沿ってスライドさせ、第１スライド面１１ｄ上まで持ち上げることにより、回動軸部４１が第１接続端子２０の軸受用凹部２５に回動可能に嵌合する。
【００１８】
さらに、図１３に示すように、前記操作レバー４０を押し倒すことにより、受圧用舌片４２が弾性変形しながらベース１０の押圧用突起１６ａに乗り上げるとともに、仕切り壁１１の外側面に圧接し、操作レバー４０を位置規制する。また、操作レバー４０の嵌合用突部４５が弾性腕部１６の嵌合用凹部１６ｂに嵌合することにより、操作レバー４０をより確実に位置規制する。
【００１９】
本実施形態では、操作レバー４０の受圧用舌片４２および嵌合用突部４５がベース１０に確実に位置規制されるので、操作レバー４０を開いたままの状態で確実に保持し続けることができる。このため、ＦＰＣ５０の装着時に操作レバー４０が倒れることがないので、片手で操作レバー４０を保持する必要がない。この結果、作業者は両手を使用してＦＰＣ５０を装着でき、組立作業が容易となり、作業性が向上するという利点がある。
【００２０】
そして、前記コネクタにＦＰＣ５０を装着する場合には、図１４に示すように、ベース１０の仕切り壁１１，１１の間にＦＰＣ５０を挿入し、その先端部５１がベース１０の内側面に当接するまで押し込む。ついで、前記操作レバー４０を引き倒すことにより、受圧用舌片４２がベース１０の押圧用突起１６ａから離れる。さらに、操作レバー４０を押し倒すことにより、第１接続端子２０の弾性指部２４が回動軸部４１を介して操作レバー４０を押し下げる。このため、操作レバー４０がＦＰＣ５０の先端部５１の下面に設けた接続用パッドを第１，第２固定接点２３，３１に押し付けて接続する。
【００２１】
本実施形態によれば、図１２で示すように、操作レバー４０を完全に水平に倒した場合に、操作レバー４０のテーパ面４４がベース１０の第１テーパ面１１ａに当接するとともに、回動軸部４１が第１接続端子２０の軸受用凹部２５に嵌合している。このため、水平方向の外力が操作レバー４０に負荷されても、操作レバー４０は変位できず、浮き上がることもないので、ＦＰＣ５０が外れるという事故を防止できる。
【００２２】
また、本実施形態によれば、図１１で示すように操作レバー４０を鉛直に支持した場合よりも、操作レバー４０が少し前方に傾いた状態において操作レバー４０に対する第１接続端子２０の付勢力が最大となるように設計してある。このため、前記操作レバー４０を水平に倒してＦＰＣ５０を接続保持した場合に、操作レバー４０を持ち上げるに従って付勢力が大きくなる。この結果、外部振動が加わっても、操作レバー４０が持ち上げられ、ＦＰＣ５０が浮き上がるという事故を防止できるという利点がある。
【００２３】
ついで、前記ＦＰＣ５０を取り外す場合には、前記操作レバー４０を持ち上げることにより、前記回動軸部４１の軸心を支点として回転させ、さらに、押し倒すことにより、受圧用舌片４２が弾性変形しつつ、押圧用突起１６ａに乗り上げ、仕切り壁１１の外側面に圧接するとともに、ベース１０の嵌合用凹部１６ｂに操作レバー４０の嵌合用突部４５が嵌合して位置規制できる。
【００２４】
前述の実施形態では、下接点を有する場合について説明したが、上接点あるいは上，下接点を有するコネクタに適用してもよい。
【産業上の利用可能性】
【００２５】
本発明にかかるコネクタは、前述の実施形態にかかるコネクタに限らず、他のコネクタに適用してもよいことは勿論である。
【図面の簡単な説明】
【００２６】
【図１】図Ａおよび図Ｂは本発明にかかるコネクタの一実施形態を示す動作前後の斜視図である。
【図２】図１で示したコネクタの分解斜視図である。
【図３】図Ａおよび図Ｂは図２で示したベースを異なる角度から見た斜視図である。
【図４】図２で示したベースの別の角度から見た斜視図である。
【図５】図Ａおよび図Ｂは図２で示した第１，第２接続端子の斜視図である。
【図６】図Ａおよび図Ｂは図２で示した操作レバーを異なる角度から見た斜視図である。
【図７】図Ａおよび図Ｂは図６で示した操作レバーの部分断面斜視図である。
【図８】図Ａおよび図Ｂはベースに操作レバーを組み付ける方法を説明するための断面図である。
【図９】図Ａおよび図Ｂはベースに操作レバーを組み付ける方法を説明するための断面図である。
【図１０】図Ａおよび図Ｂはベースに操作レバーを組み付ける方法を説明するための断面図である。
【図１１】図Ａおよび図Ｂはベースに操作レバーを組み付ける方法を説明するための断面図である。
【図１２】図Ａおよび図Ｂはベースに操作レバーを組み付ける方法を説明するための断面図である。
【図１３】図Ａおよび図Ｂはベースに操作レバーをロックする方法を説明するための部分拡大斜視図である。
【図１４】図Ａ，図Ｂおよび図Ｃは本願発明にかかるコネクタにフレキシブルプリント基板を接続する方法を説明するための斜視図である。
【符号の説明】
【００２７】
１０：ベース
１１：仕切り壁
１１ａ，１１ｃ：第１，第２テーパ面
１１ｂ，１１ｄ：第１，第２スライド面
１２，１３：第１，第２ガイド溝
１４，１５：第１，第２端子孔
１６：弾性腕部
１６ａ：押圧用突起
１６ｂ：嵌合用凹部
２０：第１接続端子
２３：第１固定接点
２４：弾性指部
２５：軸受用凹部
３０：第２接続端子
３１：第２固定接点
３４：弾性指部
４０：操作レバー
４１：回動軸部
４２：受圧用舌片
４３：組付用突起
４４：抜け止め用テーパ面
４５：嵌合用突部
５０：ＦＰＣ
５１：先端部
【図１】
2008084760.tif 000003
【図２】
2008084760.tif 000004
【図３】
2008084760.tif 000005
【図４】
2008084760.tif 000006
【図５】
2008084760.tif 000007
【図６】
2008084760.tif 000008
【図７】
2008084760.tif 000009
【図８】
2008084760.tif 000010
【図９】
2008084760.tif 000011
【図１０】
2008084760.tif 000012
【図１１】
2008084760.tif 000013
【図１２】
2008084760.tif 000014
【図１３】
2008084760.tif 000015
【図１４】
2008084760.tif 000016